(57)【要約】      （修正有）【課題】簡単な制御により高精度で安全性の高い熱源冷却を実現する。【解決手段】貯湯式熱源冷却装置１０において、放熱部制御手段９は、放熱往き路４の湯水温度（Ｔｉｎ）に基づいて、放熱部２を起動し、加熱往き路５の湯水温度（Ｔｏｕｔ）に基づいて、放熱部２の動作量を最大動作量または最大動作量よりも小さい中間動作量に調整する動作量調整制御を実行し、放熱往き路４の湯水温度（Ｔｉｎ）に基づいて、放熱部２を停止する。【選択図】図１
2018044715.tif 000002
【特許請求の範囲】
【請求項１】
湯水を循環する循環ポンプと、湯水を貯留する貯湯槽と、湯水からの放熱を行う放熱部と、湯水に熱を与えて加熱する熱源部と、
前記貯湯槽の下部の湯水を前記放熱部に供給する放熱往き路と、
前記放熱部を通流した湯水を前記熱源部に供給する加熱往き路と、
前記熱源部を通流した湯水を前記貯湯槽の上部に戻す加熱戻り路と、
前記放熱往き路の湯水温度を検出する放熱往き路温度検出手段と、
前記加熱往き路の湯水温度を検出する加熱往き路温度検出手段と、
前記放熱部の動作を制御する放熱部制御手段を備えた貯湯式熱源冷却装置であって、
前記放熱部制御手段は、
前記放熱往き路の湯水温度に基づいて、前記放熱部を起動し、
前記加熱往き路の湯水温度に基づいて、前記放熱部の動作量を最大動作量または最大動作量よりも小さい中間動作量に調整する動作量調整制御を実行し、
前記放熱往き路の湯水温度に基づいて、前記放熱部を停止する貯湯式熱源冷却装置。
【請求項２】
前記放熱部制御手段は、
前記放熱往き路の湯水温度が所定の起動温度以上である場合に、前記放熱部を動作量が最大の状態で起動し、
前記放熱往き路の湯水温度が、前記起動温度より低い停止温度以下を所定時間継続した場合に、前記放熱部を停止する請求項１に記載の貯湯式熱源冷却装置。
【請求項３】
前記放熱部制御手段は、前記放熱部が起動している状態において、
前記動作量調整制御を実行していない状態で、かつ前記加熱往き路の湯水温度が所定の制御開始温度以下の場合に、前記動作量調整制御を開始し、
前記動作量調整制御を実行している状態で、かつ前記加熱往き路の湯水温度が、前記制御開始温度よりも高い温度である所定の制御停止温度以上の場合に、前記動作量調整制御の実行を停止して、前記放熱部の動作量を最大の状態にする請求項１または２に記載の貯湯式熱源冷却装置。
【請求項４】
前記放熱部制御手段は、前記動作量調整制御において、
前記放熱部の動作量を、前回の動作量調整制御の期間における前記加熱往き路の湯水温度の平均値または最大値と、所定の目標温度との偏差に対して、所定の制御係数を乗じた値を、前回の動作量調整制御における動作量である前回動作量に加えた値へと調整する、請求項１から３のいずれか１項に記載の貯湯式熱源冷却装置。
【請求項５】
前記放熱部制御手段は、給水温度に基づいて前記制御係数の値を決定する請求項４に記載の貯湯式熱源冷却装置。
【請求項６】
前記放熱部制御手段は、前回の動作量調整制御の期間における前記加熱往き路の湯水温度の平均値または最大値が設定されていない場合に、前記放熱部の動作量を前記給水温度に基づいて決定する請求項４または５に記載の貯湯式熱源冷却装置。
【請求項７】
前記放熱部制御手段は、前記動作量調整制御における動作量の下限値を給水温度に基づいて決定する請求項１から６のいずれか１項に記載の貯湯式熱源冷却装置。
【請求項８】
前記放熱部は、湯水が通流する熱交換器と、前記熱交換器を空冷するラジエータファンとを有し、
前記放熱部制御手段は、前記放熱部の動作量の調整を、前記ラジエータファンの回転数の制御、または前記ラジエータファンの駆動のデューティー比の制御により行う請求項１から７のいずれか１項に記載の貯湯式熱源冷却装置。
【請求項９】
前記放熱部は、湯水が通流する熱交換器と、前記熱交換器を空冷するラジエータファンと、前記熱交換器をバイパスするバイパス路とを有し、
前記放熱部制御手段は、前記放熱部の動作量の調整を、前記バイパス路への湯水の流量の制御により行う請求項１から７のいずれか１項に記載の貯湯式熱源冷却装置。
【発明の詳細な説明】
【技術分野】
【０００１】
本発明は、循環ポンプと貯湯槽と放熱部と熱源部とを有する貯湯式熱源冷却装置に関する。
【背景技術】
【０００２】
燃料電池等の熱源を水冷する冷却装置が知られている。特許文献１の装置では、燃料電池からラジエタまでの冷却液遅れ時間を考慮して高精度な温度制御が行われる。
【０００３】
詳しくは特許文献１の装置では、燃料電池発熱量予測手段は燃料電池の出力に基づいて発熱量を予測する。ポンプ制御手段は予測発熱量に基づいてポンプを制御する。冷却液ラジエタ到達遅れ演算手段は、冷却液が燃料電池からラジエタまで到達する遅れ時間を算出する。冷却液三方弁到達遅れ演算手段は、冷却液が燃料電池から三方弁まで到達する遅れ時間を算出する。ラジエタファン制御手段は、冷却液ラジエタ到達遅れ演算手段によって算出された遅れ時間に基づきラジエタファンを駆動する。三方弁制御手段は、冷却液三方弁到達遅れ演算手段によって算出された遅れ時間に基づき三方弁の開度を制御する。
【先行技術文献】
【特許文献】
【０００４】
【特許文献１】特開２００４−２５３２１３号公報
【発明の概要】
【発明が解決しようとする課題】
【０００５】
特許文献１の装置では、遅れ時間や無駄時間の設定、燃料電池の出力に基づく目標放熱量の算出、燃料電池入口冷却液温度による目標放熱量の補正、目標放熱量に対するラジエタファンの風量を求めるためのラジエタ特性マップ等が必要なため、制御が複雑であった。
【０００６】
本発明は上述の課題に鑑みてなされたものであり、その目的は、簡単な制御により高精度で安全性の高い熱源冷却を実現することにある。
【課題を解決するための手段】
【０００７】
上記目的を達成するための貯湯式熱源冷却装置の特徴構成は、
湯水を循環する循環ポンプと、湯水を貯留する貯湯槽と、湯水からの放熱を行う放熱部と、湯水に熱を与えて加熱する熱源部と、
前記貯湯槽の下部の湯水を前記放熱部に供給する放熱往き路と、
前記放熱部を通流した湯水を前記熱源部に供給する加熱往き路と、
前記熱源部を通流した湯水を前記貯湯槽の上部に戻す加熱戻り路と、
前記放熱往き路の湯水温度を検出する放熱往き路温度検出手段と、
前記加熱往き路の湯水温度を検出する加熱往き路温度検出手段と、
前記放熱部の動作を制御する放熱部制御手段を備えた貯湯式熱源冷却装置であって、
前記放熱部制御手段は、
前記放熱往き路の湯水温度に基づいて、前記放熱部を起動し、
前記加熱往き路の湯水温度に基づいて、前記放熱部の動作量を最大動作量または最大動作量よりも小さい中間動作量に調整する動作量調整制御を実行し、
前記放熱往き路の湯水温度に基づいて、前記放熱部を停止する点にある。
【０００８】
上記の特徴構成によれば、放熱部制御手段は、放熱往き路の湯水温度に基づいて、放熱部を起動し、加熱往き路の湯水温度に基づいて、放熱部の動作量を最大動作量または最大動作量よりも小さい中間動作量に調整する動作量調整制御を実行し、放熱往き路の湯水温度に基づいて、放熱部を停止するから、制御の態様において、放熱部の起動停止と動作量調整制御とが分離されているため、高精度な温度制御が簡単に実現でき好適である。
【０００９】
本発明に係る貯湯式熱源冷却装置の別の特徴構成は、前記放熱部制御手段は、前記放熱往き路の湯水温度が所定の起動温度以上である場合に、前記放熱部を動作量が最大の状態で起動し、前記放熱往き路の湯水温度が、前記起動温度より低い停止温度以下を所定時間継続した場合に、前記放熱部を停止する点にある。
【００１０】
上記の特徴構成によれば、放熱部制御手段は、放熱往き路の湯水温度が所定の起動温度以上である場合に、放熱部を動作量が最大の状態で起動し、放熱往き路の湯水温度が、起動温度より低い停止温度以下を所定時間継続した場合に、放熱部を停止するから、簡易な態様の制御によって放熱部を起動して冷却を行うことができ好適である。
【００１１】
本発明に係る貯湯式熱源冷却装置の別の特徴構成は、前記放熱部制御手段は、前記放熱部が起動している状態において、
前記動作量調整制御を実行していない状態で、かつ前記加熱往き路の湯水温度が所定の制御開始温度以下の場合に、前記動作量調整制御を開始し、
前記動作量調整制御を実行している状態で、かつ前記加熱往き路の湯水温度が、前記制御開始温度よりも高い温度である所定の制御停止温度以上の場合に、前記動作量調整制御の実行を停止して、前記放熱部の動作量を最大の状態にする点にある。
【００１２】
上記の特徴構成によれば、放熱部制御手段は、放熱部が起動している状態において、動作量調整制御を実行していない状態で、かつ加熱往き路の湯水温度が所定の制御開始温度以下の場合に、動作量調整制御を開始し、動作量調整制御を実行している状態で、かつ加熱往き路の湯水温度が、制御開始温度よりも高い温度である所定の制御停止温度以上の場合に、動作量調整制御の実行を停止して、放熱部の動作量を最大の状態にするから、簡易な態様の制御により動作量調整制御の開始と停止（放熱部の最大動作量での稼働）とを行うことができ、制御簡便化とフェイルセーフの実現とを両立でき更に好適である。
【００１３】
本発明に係る貯湯式熱源冷却装置の別の特徴構成は、前記放熱部制御手段は、前記動作量調整制御において、前記放熱部の動作量を、前回の動作量調整制御の期間における前記加熱往き路の湯水温度の平均値または最大値と、所定の目標温度との偏差に対して、所定の制御係数を乗じた値を、前回の動作量調整制御における動作量である前回動作量に加えた値へと調整する点にある。
【００１４】
上記の特徴構成によれば、放熱部制御手段は、動作量調整制御において、放熱部の動作量を、前回の動作量調整制御の期間における加熱往き路の湯水温度の平均値または最大値と、所定の目標温度との偏差に対して、所定の制御係数を乗じた値を、前回の動作量調整制御における動作量である前回動作量に加えた値へと調整するから、制御が高精度かつ簡単なものとなり更に好適である。
【００１５】
本発明に係る貯湯式熱源冷却装置の別の特徴構成は、前記放熱部制御手段は、給水温度に基づいて前記制御係数の値を決定する点にある。
【００１６】
上記の特徴構成によれば、放熱部制御手段は、給水温度に基づいて制御係数の値を決定するから、簡易に測定できる給水温度によって、放熱部の冷却能力が高気温時に低下する分を簡易に補正でき、制御が更に高精度なものとなり好適である。
【００１７】
本発明に係る貯湯式熱源冷却装置の別の特徴構成は、前記放熱部制御手段は、前回の動作量調整制御の期間における前記加熱往き路の湯水温度の平均値または最大値が設定されていない場合に、前記放熱部の動作量を前記給水温度に基づいて決定する点にある。
【００１８】
上記の特徴構成によれば、放熱部制御手段は、前回の動作量調整制御の期間における加熱往き路の湯水温度の平均値または最大値が設定されていない場合に、放熱部の動作量を給水温度に基づいて決定するから、簡易に測定できる給水温度によって動作量を設定でき、制御がより簡易になり好適である。
【００１９】
本発明に係る貯湯式熱源冷却装置の別の特徴構成は、前記放熱部制御手段は、前記動作量調整制御における放熱部の動作量の下限値を給水温度に基づいて決定する点にある。
【００２０】
上記の特徴構成によれば、放熱部制御手段は、動作量調整制御における放熱部の動作量の下限値を給水温度に基づいて決定するから、簡易に測定できる給水温度に基づいて放熱部の動作量が過度に小さくなる事態を回避でき、制御簡便化とフェイルセーフの実現とを両立でき更に好適である。
【００２１】
本発明に係る貯湯式熱源冷却装置の別の特徴構成は、前記放熱部は、湯水が通流する熱交換器と、前記熱交換器を空冷するラジエータファンとを有し、前記放熱部制御手段は、前記放熱部の動作量の調整を、前記ラジエータファンの回転数の制御、または前記ラジエータファンの駆動のデューティー比の制御により行う点にある。
【００２２】
上記の特徴構成によれば、放熱部は、湯水が通流する熱交換器と、熱交換器を空冷するラジエータファンとを有し、放熱部制御手段は、放熱部の動作量の調整を、ラジエータファンの回転数の制御、またはラジエータファンの駆動のデューティー比の制御により行うから、簡易な構成および制御により放熱部による湯水からの放熱を実現でき好適である。
【００２３】
本発明に係る貯湯式熱源冷却装置の別の特徴構成は、前記放熱部は、湯水が通流する熱交換器と、前記熱交換器を空冷するラジエータファンと、前記熱交換器をバイパスするバイパス路とを有し、前記放熱部制御手段は、前記放熱部の動作量の調整を、前記バイパス路への湯水の流量の制御により行う点にある。
【００２４】
上記の特徴構成によれば、放熱部は、湯水が通流する熱交換器と、熱交換器を空冷するラジエータファンと、熱交換器をバイパスするバイパス路とを有し、放熱部制御手段は、放熱部の動作量の調整を、バイパス路への湯水の流量の制御により行うから、簡易な構成および制御により放熱部による湯水からの放熱を実現でき好適である。
【図面の簡単な説明】
【００２５】
【図１】貯湯式熱源冷却装置の構成を示す概略図
【図２】貯湯式熱源冷却装置で行われる動作制御の概要を示すフローチャート
【図３】貯湯式熱源冷却装置で行われる動作量調整制御の概要を示すフローチャート
【発明を実施するための形態】
【００２６】
以下、本実施形態に係る貯湯式熱源冷却装置について図面を参照しながら説明する。図１に示すように、貯湯式熱源冷却装置１０は、循環ポンプＰ、貯湯槽１、放熱部２、熱源部３、放熱往き路４、加熱往き路５、加熱戻り路６、第１温度センサ７（放熱往き路温度検出手段）、第２温度センサ８（加熱往き路温度検出手段）、および放熱部制御手段９を有する。放熱往き路４、加熱往き路５および加熱戻り路６が、貯湯槽１、放熱部２および熱源部３の間で、循環ポンプＰにより、湯水を循環させる湯水循環路として機能する。
【００２７】
貯湯槽１は、湯水を貯留する。放熱部２は、内部を通流する湯水からの放熱を行い、湯水を冷却する。熱源部３は、例えば燃料電池であり、内部を通流する湯水に対して熱を与えて、湯水の加熱を行う。
【００２８】
放熱部２は、熱交換器２ａ、ラジエータファン２ｂ、およびバイパス路２ｃを有する。熱交換器２ａは、内部を通流する湯水と外部の空気とを熱交換させて、湯水を冷却する。
【００２９】
ラジエータファン２ｂは、図示しないモータにより駆動されて、空気を熱交換器２ａに吹き付けて、熱交換器２ａを空冷する。ラジエータファン２ｂの動作は、放熱部制御手段９により制御される。例えば、放熱部制御手段９は、ラジエータファン２ｂの回転数を制御して、これにより放熱部２の動作量を調整する。あるいは、放熱部制御手段９は、ラジエータファン２ｂの駆動のデューティー比を制御して、これにより放熱部２の動作量を調整する。
【００３０】
バイパス路２ｃは、熱交換器２ａの上流側（放熱往き路４）と下流側（加熱往き路５）とを接続して、熱交換器２ａをバイパスする流路である。放熱部制御手段９は、バイパス路２ｃに設けられた流量調整弁（図示なし）を制御して、バイパス路２ｃを通流する湯水の流量を制御し、これにより放熱部２の動作量を調整する。
【００３１】
放熱往き路４は、貯湯槽１の下部と放熱部２の熱交換器２ａとを接続しており、貯湯槽１の下部の湯水を放熱部２に供給する。加熱往き路５は、放熱部２の熱交換器２ａと熱源部３とを接続しており、放熱部２を通流した湯水を熱源部３に供給する。加熱戻り路６は、熱源部３と貯湯槽１の上部とを接続しており、熱源部３を通流した湯水を貯湯槽１の上部に戻す。
【００３２】
第１温度センサ７（放熱往き路温度検出手段）は、放熱往き路４に配置された温度センサであり、放熱往き路４の湯水温度を検出して、放熱部制御手段９へ送信する。以下、第１温度センサ７が検出した放熱往き路４の湯水温度を「Ｔｉｎ」と表記する場合がある。
【００３３】
第２温度センサ８（加熱往き路温度検出手段）は、加熱往き路５に配置された温度センサであり、加熱往き路５の湯水温度を検出して、放熱部制御手段９へ送信する。以下、第２温度センサ８が検出した加熱往き路５の湯水温度を「Ｔｏｕｔ」と表記する場合がある。
【００３４】
放熱部制御手段９は、第１温度センサ７および第２温度センサ８から放熱往き路４の湯水温度Ｔｉｎおよび加熱往き路５の湯水温度Ｔｏｕｔの送信を受け、ＴｉｎおよびＴｏｕｔに基づいて放熱部２を制御する。詳しくは放熱部制御手段９は、放熱往き路４の湯水温度（Ｔｉｎ）に基づいて、放熱部２を起動停止し、加熱往き路５の湯水温度（Ｔｏｕｔ）に基づいて、放熱部２の動作量を最大動作量または最大動作量よりも小さい中間動作量に調整する動作量調整制御を実行する。なお実際には、放熱部制御手段９に対応するプログラムが図示しないＲＯＭや不揮発性メモリに記憶されており、それらプログラムをＣＰＵにロードして実行することにより、放熱部制御手段９に対応するプロセスが実行される。
【００３５】
以下、放熱部制御手段９により貯湯式熱源冷却装置１０で行われる動作制御について、図２のフローチャートを参照しながら説明する。
【００３６】
動作制御がスタートすると、ステップ＃２０１では、放熱部２が停止中か否かが判定される。放熱部２が停止中の場合（ステップ＃２０１：Ｙｅｓ）、ステップ＃２０２に進む。放熱部２が運転中の場合（ステップ＃２０１：Ｎｏ）、ステップ＃２０４に進む。
【００３７】
ステップ＃２０２では、放熱往き路４の湯水温度（Ｔｉｎ）が所定の起動温度以上であるか否かが判定される。起動温度は、放熱部２を起動するか否かを判断する基準の温度（例えば、４０℃）であって、予め定められて放熱部制御手段９に記憶されている。Ｔｉｎが起動温度以上である場合（ステップ＃２０２：Ｙｅｓ）、ステップ＃２０３へ進む。Ｔｉｎが起動温度よりも小さい場合（ステップ＃２０２：Ｎｏ）、エンドへ進む。
【００３８】
ステップ＃２０３では、放熱部制御手段９が放熱部２を制御して、放熱部２を動作量最大で起動する。具体的には放熱部制御手段９が、放熱部２での湯水からの放熱が最大量となるように、放熱部２のラジエータファン２ｂを最大回転数で動作させ、放熱部２のバイパス路２ｃの湯水の流量を最少（例えば、ゼロ）に制御する。
【００３９】
すなわち貯湯式熱源冷却装置１０では、放熱部制御手段９は、放熱往き路４の湯水温度（Ｔｉｎ）が所定の起動温度以上である場合に、放熱部２を動作量が最大の状態で起動する。Ｔｉｎが起動温度以上である場合、貯湯槽１に貯留されている湯水の温度が比較的高いことになるから、放熱部２が起動されて最大の動作量で動作すると、放熱部２からの放熱が行われ湯水が冷却されて好適である。
【００４０】
ステップ＃２０４では、放熱往き路４の湯水温度（Ｔｉｎ）が所定の停止温度以下を所定時間以上継続したか否かが判定される。停止温度と所定時間は、放熱部２を停止するか否かを判断するための基準の温度（例えば、３８℃）と基準の時間（例えば、５分）であって、予め定められて放熱部制御手段９に記憶されている。なお停止温度は、上述の起動温度よりも低い温度である。
【００４１】
Ｔｉｎが停止温度以下を所定時間以上継続した場合（ステップ＃２０４：Ｙｅｓ）、ステップ＃２０５へ進む。Ｔｉｎが停止温度を所定時間以上継続しない場合（ステップ＃２０４：Ｎｏ）、ステップ＃２０６へ進む。
【００４２】
ステップ＃２０５では、放熱部制御手段９が放熱部２を制御して、放熱部２を停止させる。具体的には放熱部制御手段９が、放熱部２での湯水からの放熱が停止するように、放熱部２のラジエータファン２ｂを停止させ、または放熱部２のバイパス路２ｃの湯水の流量を制御して熱交換器２ａの湯水の流量を最少（例えば、ゼロ）に制御する。そしてエンドに進む。
【００４３】
すなわち貯湯式熱源冷却装置１０では、放熱部制御手段９は、放熱往き路４の湯水温度（Ｔｉｎ）が、起動温度（例えば、４０℃）よりも低い所定の温度である停止温度（例えば、３８℃）以下を所定時間（例えば、５分）以上継続した場合に、放熱部２を停止する。Ｔｉｎが停止温度以下を所定時間以上継続した場合、貯湯槽１に貯留されている湯水の温度が比較的低いことになるから、放熱部２が停止されると、放熱部２からの放熱が止まり湯水の温度が上昇して好適である。
【００４４】
ステップ＃２０６では、動作量調整制御が停止中か否かが判定される。ここで動作量調整制御とは、放熱部２の動作量を最大動作量または最大動作量よりも小さい中間動作量に調整する制御であり、放熱部２における湯水からの放熱の量を中間的な量へと調整する制御である。本実施形態では、加熱往き路５の湯水温度（Ｔｏｕｔ）に基づいて、動作量調整制御の開始（ステップ＃２０８）および停止（ステップ＃２１０）が行われる。動作量調整制御における放熱部２の動作量の決定の手法については後述する。
【００４５】
動作量調整制御が停止中の場合（ステップ＃２０６：Ｙｅｓ）、ステップ＃２０７へ進む。動作量調整制御が実行中の場合（ステップ＃２０６：Ｎｏ）、ステップ＃２０９へ進む。
【００４６】
ステップ＃２０７では、加熱往き路５の湯水温度（Ｔｏｕｔ）が上述の制御開始温度以下であるか否かが判定される。制御開始温度は、動作量調整制御を開始するか否かを判断するための基準の温度（例えば、３６℃）であって、予め定められて放熱部制御手段９に記憶されている。Ｔｏｕｔが制御開始温度以下である場合（ステップ＃２０７：Ｙｅｓ）、ステップ＃２０８へ進む。Ｔｏｕｔが制御開始温度よりも大きい場合（ステップ＃２０７：Ｎｏ）、エンドに進む。
【００４７】
ステップ＃２０８では、放熱部制御手段９により動作量調整制御が開始され、その後エンドへ進む。
【００４８】
すなわち貯湯式熱源冷却装置１０では、放熱部制御手段９は、動作量調整制御を実行していない状態（停止中）で、かつ加熱往き路５の湯水温度（Ｔｏｕｔ）が所定の制御開始温度以下の場合に、動作量調整制御を開始する。Ｔｏｕｔが制御開始温度以下である場合、放熱部２から流出する湯水の温度が比較的低いことになるから、放熱部２での湯水からの放熱を適切なものとして湯水の温度を調節すべく、放熱部制御手段９が動作量調整制御を開始する。
【００４９】
ステップ＃２０９では、加熱往き路５の湯水温度（Ｔｏｕｔ）が制御停止温度以上であるか否かが判定される。制御停止温度は、動作量調整制御を停止するか否かを判断するための基準の温度（例えば、４０℃）であって、予め定められて放熱部制御手段９に記憶されている。なお制御停止温度は、上述の制御開始温度よりも高い温度である。
【００５０】
Ｔｏｕｔが制御停止温度以上である場合（ステップ＃２０９：Ｙｅｓ）、ステップ＃２１０へ進む。Ｔｏｕｔが制御停止温度よりも小さい場合（ステップ＃２０９：Ｎｏ）、エンドへ進む。
【００５１】
ステップ＃２１０では、放熱部制御手段９により動作量調整制御が停止され、Ｔｍａｘを所定値（例えば、４３℃）に変更する。Ｔｍａｘは、後述する動作量調整制御において放熱部２の動作量の決定に用いるパラメータであり、前回の動作量調整制御の期間における加熱往き路の湯水温度（Ｔｏｕｔ）の最大値である。Ｔｍａｘが大きいほど、次回の動作量調整制御での放熱部２の動作量が大きくなる。ステップ＃２１０でＴｍａｘが所定値、特に制御停止温度（例えば、４０℃）よりも大きい温度（例えば、４３℃）に変更されることで、次回の動作量調整制御での放熱部２の動作量が大きくなり、熱源部３の冷却が適切に行われる様になる。
【００５２】
ステップ＃２１１では、放熱部制御手段９が放熱部２を制御して、放熱部２の動作量を最大動作量に変更する。具体的には放熱部制御手段９が、放熱部２での湯水からの放熱が最大量となるように、放熱部２のラジエータファン２ｂを最大回転数で動作させ、放熱部２のバイパス路２ｃの湯水の流量を最少（例えば、ゼロ）に制御する。その後、エンドへ進む。
【００５３】
すなわち貯湯式熱源冷却装置１０では、放熱部制御手段９は、動作量調整制御を実行している状態で、かつ加熱往き路５の湯水温度（Ｔｏｕｔ）が、制御開始温度（例えば、３６℃）よりも高い温度である所定の制御停止温度（例えば、４０℃）以上の場合に、動作量調整制御の実行を停止して、放熱部２の動作量を最大の状態にする。Ｔｏｕｔが制御停止温度以上である場合、放熱部２から流出する湯水の温度が比較的高く、放熱部２での冷却が不足していることになる。そこで放熱部２の動作量を最大の状態にすると、放熱部２から流出する湯水の温度が低下し、熱源部３の冷却が適切に行われるので好適である。
【００５４】
次に、放熱部制御手段９により貯湯式熱源冷却装置１０で行われる動作量調整制御について、図３のフローチャートを参照しながら説明する。なお動作量調整制御とは、上述の通り、放熱部２の動作量を最大動作量または最大動作量よりも小さい中間動作量に調整する制御であり、放熱部２における湯水からの放熱の量を中間的な量へと調整する制御である。
【００５５】
動作量調整制御がスタートすると、ステップ＃３０１では、Ｔｍａｘの値がゼロであるか否かが判定される。ここでＴｍａｘは、前回行った動作量調整制御の期間における、加熱往き路の湯水温度（Ｔｏｕｔ）の最大値である。貯湯式熱源冷却装置１０を起動した際、すなわち動作量調整制御を未だ行っていない状態では、Ｔｍａｘの値はゼロに設定される。そして動作量調整制御を行う度に、放熱部制御手段９は、その期間における加熱往き路の湯水温度（Ｔｏｕｔ）の最大値をＴｍａｘの値として更新記憶する。詳しくは、後述するステップ＃３０５（放熱部２の動作量の変更）を行った後、２０分経過時点からの１０分間におけるＴｏｕｔの最大値が、Ｔｍａｘの値として更新記憶される。すなわち、放熱部２が定常状態になった際のＴｏｕｔの値がＴｍａｘとして記憶される。またＴｍａｘは、上述したステップ＃２１０において所定値に変更される場合がある。
【００５６】
Ｔｍａｘ≠０である場合（ステップ＃３０１：Ｙｅｓ）、ステップ＃３０２に進む。Ｔｍａｘ≠０でない場合（ステップ＃３０１：Ｎｏ）、ステップ＃３０３に進む。
【００５７】
ステップ＃３０２では、放熱部制御手段９が、放熱部２の動作量を、前回の動作量調整制御における動作量（前回動作量）、およびＴｍａｘの値に基づいて設定する。詳しくは、動作量を次の式に基づいて設定する。なお動作量および前回動作量は、放熱部２の最大動作量に対するパーセンテージで表される。
動作量＝前回動作量＋制御係数×（Ｔｍａｘ−目標温度）      式（１）
【００５８】
ここで制御係数とは、測定された給水温度の１／５の値が、放熱部制御手段９により設定される。なお給水温度とは、上水道からの貯湯式熱源冷却装置１０へ供給される水の温度であり、外気温と連動して気温・季節・気候等に応じて変動する。例えば、給水温度が１０℃の場合、制御係数の値は２となる。
【００５９】
給水温度が低いほど、制御係数は小さくなるが、これは本実施形態に係る放熱部２が熱交換器２ａとラジエータファン２ｂとを有して構成される空冷式であることによる。給水温度が低いと、空気の温度も低くなり、動作量を僅かに補正した場合でも放熱部２での放熱量は大きく変化する。よって、制御係数は小さい方が望ましい。逆に給水温度が高いと空気の温度も高くなり、動作量を大きく補正しないと放熱部２での放熱量を調整できない。よって、制御係数は大きい方が望ましい。したがって、制御係数は外気温、あるいは給水温度に対して正の相関をもって変化するよう構成することが好ましい。
【００６０】
目標温度とは、放熱部２から流出する湯水の温度の目標値（例えば、３８℃）であって、冷却する熱源部３に応じて予め定められ、放熱部制御手段９に記憶されている。
【００６１】
例えば、前回の動作量調整制御におけるＴｍａｘの値が３８℃であり、目標値と同じであった場合、上掲の式（１）の右辺第２項はゼロとなり、今回の動作量は、前回動作量と同じになる。すなわち、前回の動作量調整制御は適切に行われ、Ｔｏｕｔが目標値に一致したため、今回の動作量調整制御も同じ動作量で行われる。
【００６２】
例えば、前回の動作量調整制御におけるＴｍａｘの値が４１℃であった場合、式（１）の右辺は２×（４１℃−３８℃）＝６となり、前回動作量に対して６ポイント加えた値が、今回の動作量として設定される。例えば、前回動作量が３９％であった場合は、今回の動作量が４５％に設定される。これにより、前回の動作量調整制御よりも大きな動作量で放熱部２が動作して、湯水からの放熱の量が大きくなり、Ｔｏｕｔが目標値に近づくので好適である。
【００６３】
すなわち貯湯式熱源冷却装置１０では、放熱部制御手段９は、動作量調整制御において、放熱部２の動作量を、前回の動作量調整制御の期間における加熱往き路５の湯水温度（Ｔｏｕｔ）の最大値（Ｔｍａｘ）と、所定の目標温度との偏差に対して、所定の制御係数を乗じた値を、前回の動作量調整制御における動作量である前回動作量に加えた値へと調整する。
【００６４】
ステップ＃３０２で放熱部２の動作量が設定されると、ステップ＃３０４に進む。
【００６５】
ステップ＃３０３では、放熱部制御手段９は、放熱部２の動作量を給水温度に基づいて設定する。Ｔｍａｘの値がゼロの場合、上掲の式（１）に基づいて動作量を決定することは妥当でないため、給水温度に基づいて設定する。例えば、給水温度が１０℃未満の場合、放熱部２の動作量を５０％に設定する。給水温度が１０℃以上３０℃未満の場合、放熱部２の動作量を７５％に設定する。給水温度が３０℃以上の場合、放熱部２の動作量を１００％に設定する。放熱部２の動作量が設定されると、ステップ＃３０４に進む。
【００６６】
すなわち貯湯式熱源冷却装置１０では、放熱部制御手段９は、前回の動作量調整制御の期間における加熱往き路５の湯水温度（Ｔｏｕｔ）の最大値（Ｔｍａｘ）が設定されていない場合に、放熱部２の動作量を給水温度に基づいて決定する。
【００６７】
ステップ＃３０４では、放熱部制御手段９は、放熱部２の動作量が下限値以上となるように、設定された動作量に対して補正を行う。下限値は、例えば給水温度に応じて決定される。例えば、給水温度が１０℃未満の場合、下限値を１０％に設定する。給水温度が１０℃以上３０℃未満の場合、下限値を３０％に設定する。給水温度が３０℃以上の場合、下限値を５０％に設定する。放熱部制御手段９は、設定されている動作量と下限値とを比較して、動作量が下限値より小さい場合には、動作量を補正して、下限値以上の値に変更する。そしてステップ＃３０５に進む。
【００６８】
すなわち貯湯式熱源冷却装置１０では、放熱部制御手段９は、動作量調整制御における放熱部２の動作量の下限値を給水温度に基づいて決定する。
【００６９】
ステップ＃３０５では、放熱部制御手段９は、放熱部２の動作量を、上述のステップにて設定された動作量へと変更する。そしてエンドへ進む。
【００７０】
（他の実施形態）
（１）上述の実施形態では、Ｔｍａｘは、前回行った動作量調整制御の期間における、加熱往き路の湯水温度（Ｔｏｕｔ）の最大値としたが、これを変更して、Ｔｍａｘを前回行った動作量調整制御の期間における、加熱往き路の湯水温度（Ｔｏｕｔ）の平均値としてもよい。
【００７１】
（２）上述の実施形態では、放熱部制御手段９による放熱部２の動作量の調整は、ラジエータファン２ｂの回転制御と、バイパス路２ｃの流量制御とを行う例を説明したが、どちらか一方のみとする構成も可能である。また、ラジエータファン２ｂの回転制御の代わりに、ラジエータファン２ｂの駆動のデューティー比の制御を行なうことも可能である。
【００７２】
（３）上述の実施形態では、放熱部２がバイパス路２ｃを有して構成したが、バイパス路２ｃを有さない構成も可能である。
【００７３】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７４】
Ｐ        ：循環ポンプ
１        ：貯湯槽
２        ：放熱部
２ａ      ：熱交換器
２ｂ      ：ラジエータファン
２ｃ      ：バイパス路
３        ：熱源部
４        ：放熱往き路
５        ：加熱往き路
６        ：加熱戻り路
７        ：第１温度センサ（放熱往き路温度検出手段）
８        ：第２温度センサ（加熱往き路温度検出手段）
９        ：放熱部制御手段
１０      ：貯湯式熱源冷却装置
【図１】
2018044715.tif 000003
【図２】
2018044715.tif 000004
【図３】
2018044715.tif 000005